(57)【要約】      （修正有）【課題】他の用具やシャンプーボウルの加工を必要とせず、安定且つ着脱自在に取り付けられ、形状にばらつきがある各種シャンプーボウルに、汎用性高く取り付けられるシャンプーボウル取付型枕を提供する。【解決手段】シャンプーボウル取付型枕１００は、首受け２０５下方のシャンプーボウル２００の内面に当接される略平板状の台座１０と、台座１０に立設され、首受け２０５に懸装される断面略Ｊ字形状のフック部２０と、首受け２０５に懸装されたフック部２０に対して奥側で台座１０に立設される支持部３０と、支持部３０の端部に配設される。被洗髪者の頭部を支承する支承部４０と、を備え、正面視における、支承部４０の幅が、フック部２０の幅よりも広く、台座１０の幅よりも狭い。【選択図】図２
0003185374.tif 000002
【実用新案登録請求の範囲】
【請求項１】
シャンプーボウルの首受けに垂設されるシャンプーボウル取付型枕において、
前記首受け下方の前記シャンプーボウルの内面に当接される略平板状の台座と、
前記台座に立設され、前記首受けに懸装される断面略Ｊ字形状のフック部と、
前記首受けに懸装されたフック部に対して奥側で前記台座に立設される支持部と、
前記支持部の端部に配設され、被洗髪者の頭部を支承する支承部と、
を備え、
正面視における、前記支承部の幅が、前記フック部の幅よりも広く、前記台座の幅よりも狭いことを特徴とするシャンプーボウル取付型枕。
【請求項２】
前記請求項１に記載のシャンプーボウル取付型枕において、
前記フック部が、上端近傍で左右に略水平に突出し、前記シャンプーボウルの首受けに当接される補助部を備えることを特徴とするシャンプーボウル取付型枕。
【請求項３】
前記請求項１又は２に記載のシャンプーボウル取付型枕において、
前記支持部が、蝶番により前記台座の面に対して倒伏可能に蝶着されることを特徴とするシャンプーボウル取付型枕。
【請求項４】
前記請求項１乃至３のいずれかに記載のシャンプーボウル取付型枕において、
前記台座が、前記シャンプーボウルの内面に当接される面に緩衝材を備えることを特徴とするシャンプーボウル取付型枕。
【考案の詳細な説明】
【技術分野】
【０００１】
本考案は、シャンプーボウルに着脱可能に取り付けられる枕に関する。
【背景技術】
【０００２】
理容室若しくは美容室において又は介護のために被洗髪者の髪や頭部を洗う場合、シャンプーボウル（シャンプーボール，洗髪台，洗髪ボウル等とも称されるが、本考案においてはシャンプーボウルの語を用いる）が頻用される。シャンプーボウルの縁部における手前側中央付近を凹ませて設けた首受けに、仰向けに寝かせた被洗髪者の頸部を載せて洗髪するのが一般的だが、それによって、頭痛，頸痛の他、眩暈，吐き気，上下肢の痺れ，脳血管障害等の症状を伴う美容院卒中症候群を惹起する虞があり、問題視されている。これらの症状や疾病は、後方に反らした頭部を頸部のみで支承する姿勢に起因すると考えられている。即ち、頸部には頭部全体を支承するための過大な負担が掛かり、それ自体が痛みの原因となるばかりでなく、当該負担によって血管が圧迫され、脳血管障害が惹き起こされると指摘されている。
【０００３】
頸部への負担を軽減することを目的とする、種々の枕や頭部支持具が開示されている。
例えば、所定形状のシャンプーボウルに取り付けられる頭部支持装置が開示されている（例えば、特許文献１参照）。また、シャンプーボウルの内面に吸盤等で取り付けられる後頭部支持補助具（例えば、特許文献２参照）が開示されている。また、シャンプーボウルの周壁に対し挟持した状態で装着される載置部をシャンプーボウルと別体に形成されるマッサージ兼用洗髪台が開示されている（例えば、特許文献３参照）。
【先行技術文献】
【特許文献】
【０００４】
【特許文献１】特開２００７−１５９６７３号公報
【特許文献２】登録実用新案第３１２２９８７号公報
【特許文献３】特開平１０−２３４４６７号公報
【考案の概要】
【考案が解決しようとする課題】
【０００５】
しかしながら、特許文献１に記載の頭部支持装置は、首受けの奥に、当該頭部支持装置を取り付ける略平らな段が設けられたシャンプーボウルにのみ取り付けられる形状であり、汎用性に乏しい。また、当該頭部支持装置をシャンプーボウルに着脱自在に取り付けることについては、何ら開示されていない。
【０００６】
また、特許文献２に記載の後頭部支持補助具は、シャンプーボウルの内面に吸盤で取り付けて用いられるものであって、シャンプーボウルから外れて落下若しくは転倒し又はシャンプーボウル内面に沿って滑る虞があり、安定性を欠き被洗髪者を危険に曝してしまう。シャンプーボウルが水に濡れ、又は、毛髪が吸盤とシャンプーボウル内面との間に挟み込まれた場合には、後頭部支持補助具は特に不安定である。
【０００７】
また、特許文献３には、載置部の断面図しか開示されておらず、載置部の人体支持部分に対する脚部分の幅の大小関係が不明である。特許文献３に記載のマッサージ兼用洗髪台は、仮に、脚部分の幅が狭いのであれば、補助脚をシャンプーボウル内面の底に載置したとしても、ぐらつき、安定性に欠ける。他方、特許文献３に記載のマッサージ兼用洗髪台は、仮に、脚部分の幅が広いのであれば、形状にばらつきがある各種シャンプーボウルに安定に取り付けることはできず、汎用性に欠ける。
【０００８】
この考案は、上述のような課題を解決するためになされたもので、他の用具やシャンプーボウルの加工を必要とせず、安定且つ着脱自在に取り付けられる、シャンプーボウル取付型枕を提供することを目的とする。また、形状にばらつきがある各種シャンプーボウルに、汎用性高く取り付けられるシャンプーボウル取付型枕を提供することを目的とする。
【課題を解決するための手段】
【０００９】
この考案に係るシャンプーボウル取付型枕においては、首受け下方のシャンプーボウルの内面に当接される略平板状の台座と、台座に立設され、首受けに懸装される断面略Ｊ字形状のフック部と、首受けに懸装されたフック部に対して奥側で台座に立設される支持部と、支持部の端部に配設され、被洗髪者の頭部を支承する支承部と、を備え、正面視における、支承部の幅が、フック部の幅よりも広く、台座の幅よりも狭いものである。
【００１０】
また、この考案に係るシャンプーボウル取付型枕においては、必要に応じて、フック部が、上端近傍で左右に略水平に突出し、シャンプーボウルの首受けに当接される補助部を備えるものである。
【００１１】
また、この考案に係るシャンプーボウル取付型枕においては、必要に応じて、支持部が、蝶番により台座の面に対して倒伏可能に蝶着されるものである。
【００１２】
さらに、この考案に係るシャンプーボウル取付型枕においては、必要に応じて、台座が、シャンプーボウルの内面に当接される面に緩衝材を備えるものである。
【考案の効果】
【００１３】
この考案に係るシャンプーボウル取付型枕においては、首受け下方のシャンプーボウルの内面に当接される略平板状の台座と、台座に立設され、首受けに懸装される断面略Ｊ字形状のフック部と、首受けに懸装されたフック部に対して奥側で台座に立設される支持部と、支持部の端部に配設され、被洗髪者の頭部を支承する支承部と、を備え、正面視における、支承部の幅が、フック部の幅よりも広く、台座の幅よりも狭いことにより、被洗髪者の頭部を支承する面積を確保しつつ、様々な形状のシャンプーボウルに対して幅の狭いフック部で取り付けることができると共に、幅の広い台座でシャンプーボウルの内面との左右方向の接触面積を広くしてシャンプーボウル取付型枕の安定性を高める。
【００１４】
また、この考案に係るシャンプーボウル取付型枕においては、必要に応じて、フック部が、上端近傍で左右に略水平に突出し、シャンプーボウルの首受けに当接される補助部を備えることにより、フック部の左右方向の動きを規制して、シャンプーボウル取付型枕の安定性を高める。
【００１５】
また、この考案に係るシャンプーボウル取付型枕においては、必要に応じて、支持部が、蝶番により台座の面に対して倒伏可能に蝶着されることにより、支持部をシャンプーボウルの奥側に簡易に倒して、シャンプーボウルの内部下方に支承部を位置させ、シャンプーボウルの内部上方に空間を得ることができ、被洗髪者の髪にロッドを巻いた状態でシャンプー台を利用する場合に、支承部が邪魔にならないという効果がある。
【００１６】
さらに、この考案に係るシャンプーボウル取付型枕においては、必要に応じて、台座が、シャンプーボウルの内面に当接される面に緩衝材を備えることにより、台座をシャンプーボウル内に配置した際に両者が直接接触し損傷することを防ぐ他、台座がシャンプーボウルの内面に沿って滑ることを回避してシャンプーボウル取付型枕の安定性を高める。
【図面の簡単な説明】
【００１７】
【図１】（ａ）は第１の実施形態に係るシャンプーボウル取付型枕の概略構成を示す正面側斜視図であり、（ｂ）は第１の実施形態に係るシャンプーボウル取付型枕の正面図であり、（ｃ）は図１（ｂ）に示すシャンプーボウル取付型枕の左側面図である。
【図２】（ａ）は図１に示すシャンプーボウル取付型枕をシャンプーボウルに取り付けた状態を示す左側面図であり、（ｂ）は一般的なシャンプーボウルの形状を説明するための参考斜視図である。
【図３】（ａ）は第２の実施形態に係るシャンプーボウル取付型枕の概略構成を示す正面側斜視図であり、（ｂ）は第２の実施形態に係るシャンプーボウル取付型枕の正面図である。
【図４】（ａ）は図３（ｂ）に示すシャンプーボウル取付型枕の左側面図であり、（ｂ）は図４（ａ）に示すシャンプーボウル取付型枕の支持部を倒伏した状態を示す左側面図である。
【考案を実施するための形態】
【００１８】
（本考案の第１の実施形態）
一般的なシャンプーボウル２００は、図２（ｂ）に示すように、窪み２０１の最下端部に排水口２０２が設けられると共に、その内面の奥壁２０３は略鉛直となるように形成されている。シャンプーボウル２００の外周の縁部２０４には、その手前側中央付近が凹まされて首受け２０５が設けられている。
【００１９】
本実施形態に係るシャンプーボウル取付型枕１００は、図２（ａ）に示すように、シャンプーボウル２００の首受け２０５に垂設され、シャンプーボウル２００内に配置される。
また、シャンプーボウル取付型枕１００は、図１及び図２（ａ）に示すように、首受け２０５下方のシャンプーボウル２００の内面に当接される略平板状の台座１０と、台座１０に立設され、首受け２０５に懸装される断面略Ｊ字形状のフック部２０と、首受け２０５に懸装されたフック部２０に対して奥側で台座１０に立設される支持部３０と、支持部３０の端部に配設され、被洗髪者４００の頭部を支承する支承部４０と、を備える。
【００２０】
また、シャンプーボウル取付型枕１００を構成する各部材は、以下特筆する場合を除き、剛性を有する材質で作製される。その材質は特に限定されず、例えば、鉄，炭素鋼，ステンレス鋼，真鍮等の金属、ポリエチレン，ポリプロピレン，ポリスチレン，ポリメタクリル酸エステル等の合成樹脂、又は木材等を用いることができるが、シャンプーボウル取付型枕１００を長期間に亘って使用するためには、堅牢性を維持するために、剛性を有する金属で作製されることが好ましく、水に触れても錆び難いステンレス鋼又は防錆処理加工された金属で作製されることがより好ましい。
【００２１】
本実施形態に係る台座１０は、略平らな板状体であり、平面視で略π字状の部材であって、シャンプーボウル２００の内面に対向する対向面１１ａを含む略矩形状の当接部１１と、当接部１１の中央近傍から略垂直に突出した部分であり、縁部から当接部１１に向かう切り欠き１２ａ（不図示）を有する突出部１２と、を備える。
台座１０には、断面略矩形状の条体の一面に長手方向の溝を設けて作製されたゴム製の台座緩衝材１３が、前記溝で対向面１１ａに外嵌着されて設けられている。台座緩衝材１３は、台座１０をシャンプーボウル２００内に配置した際に両者が直接接触し損傷することを防ぐ他、台座１０がシャンプーボウル２００の内面に沿って滑ることを回避してシャンプーボウル取付型枕１００の安定性を高める機能を有する。台座緩衝材１３の材質は、弾性を有する材質であれば必ずしもゴム材に限定されず、台座緩衝材１３の断面形状も特に限定されない。台座緩衝材１３は必ずしも対向面１１ａに設けられていることに限られず、台座１０の全周に渡って設けられていてもよい。
【００２２】
台座１０の材質は、既述の通り、剛性を有する材質であれば特に限定されず、例えば、鉄，炭素鋼，ステンレス鋼，真鍮等の金属、ポリエチレン，ポリプロピレン，ポリスチレン，ポリメタクリル酸エステル等の合成樹脂、又は木材等を用いることができるが、堅牢性を維持し本考案を長期間に亘って使用するためには、剛性を有する金属で作製されることが好ましく、水に触れても錆び難いステンレス鋼又は防錆処理加工された金属で作製されることがより好ましい。
【００２３】
本実施形態に係るフック部２０は、幅（例えば、１２ｍｍ程度）の狭い平板を断面略Ｊ字形状に湾曲させた部材からなり、シャンプーボウル２００の首受け２０５に着脱自在に掛着される掛止部２１と、平板を屈曲させた部材からなり、台座１０及び掛止部２１間に介在して台座１０及び掛止部２１を連結する連結部２２と、を備える。
このように、シャンプーボウル取付型枕１００は、フック部２０が幅の狭い平板で作製されることにより、シャンプーボウル２００の縁部２０４の厚みや曲面等が異なる様々な形状のシャンプーボウル２００に取り付けることができるという作用効果を奏する。
また、シャンプーボウル取付型枕１００は、フック部２０が平板で作製されることにより、図２（ａ）に示すように、首受け２０５におけるフック部２０を載置した部分とそれ以外の部分との間に段差がほとんどなく、フック部２０を介して既存のシャンプーボウル２００用のクッション３００を首受け２０５に取り付けることも可能である。
【００２４】
また、フック部２０は、掛止部２１の一部であり、上端近傍で左右に略水平に突出し、シャンプーボウル２００の首受け２０５に当接される平板状の補助部２１ａを備え、ゴム製のフック部緩衝材２３が、補助部２１ａを含め、シャンプーボウル２００の首受け２０５及び外面に当接する面に貼着されている。フック部緩衝材２３は、シャンプーボウル２００の首受け２０５にフック部２０を懸装した際に両者が直接接触し損傷することを防ぐ他、フック部２０が首受け２０５上で滑ることを回避してシャンプーボウル取付型枕１００の安定性を高める機能を有する。フック部緩衝材２３の材質は、弾性を有する材質であれば必ずしもゴム材に限定されず、フック部緩衝材２３の断面形状も特に限定されない。
また、補助部２１ａは、幅の狭い掛止部２１に対して、左右に略水平に突出し、シャンプーボウル２００の首受け２０５に当接することにより、掛止部２１の左右方向の動きを規制して、シャンプーボウル取付型枕１００の安定性を高める機能を有する。
【００２５】
連結部２２は、屈曲部分を境界とする２つの領域のうち、一方の領域に対して、雄ねじが切られた軸部２２ａが台座１０に当接する面とその裏面に溶接され、他方の領域に対して、縁部から屈曲部に向かう切り欠き２２ｂを有する。
また、連結部２２における台座１０に当接する面にある軸部２２ａが、台座１０の切り欠き１２ａ内で摺動可能に遊挿され、ナット２２ｃと螺合することにより台座１０に連結部２２を固定させる。
【００２６】
掛止部２１は、雄ねじが切られた軸部２１ｂが連結部２２に当接する面に溶接されており、当該軸部２１ｂが、連結部２２の切り欠き２２ｂ内で摺動可能に遊挿され、ナット２１ｃと螺合することにより連結部２２に掛止部２１を固定させる。
【００２７】
本実施形態に係る支持部３０は、略矩形状の平板を屈曲させた部材からなり、両縁部から屈曲部に向かう２つの切り欠き３１ａを有する支持上部３１と、略矩形状の平板を屈曲させた部材からなり、台座１０及び支持上部３１間に介在して台座１０及び支持上部３１を連結する支持下部３２と、を備える。
【００２８】
支持下部３２は、屈曲部分を境界とする２つの領域のうち、一方の領域に対して、雄ねじが切られた軸部３２ａが支持上部３１に当接する面に溶接され、他方の領域に対して、縁部から屈曲部に向かう切り欠き３２ｂを有する。
また、支持下部３２の切り欠き３２ｂは、連結部２２の軸部２２ａを摺動可能に遊挿し、ナット２１ｃと螺合することにより連結部２２に支持下部３２を固定させる。
また、支持下部３２の軸部３２ａは、支持上部３１の切り欠き３１ａ内で摺動可能に遊挿され、ナット３２ｃ（例えば、蝶ナット）と螺合することにより支持下部３２に支持上部３１を固定させる。
【００２９】
本実施形態に係る支承部４０は、略矩形状の板状材の角を丸めて形成した支承部底板４１に、角及び稜が面取りされた略直方体状の支承部緩衝材４２を貼着して形成されている。支承部緩衝材４２は、被洗髪者４００の頭部が直接触れる部分であり、クッション性を持たせるためにウレタンフォームで作製されているが、その材質は弾性を有するものであれば必ずしもウレタンフォームに限られず、例えばゴム材で作製することもできる。
また、支承部４０は、支承部緩衝材４２を覆う着脱可能なカバー４３を備えているが、支承部緩衝材４２及びカバー４３を一体として作製してもよい。
支承部底板４１は、雄ねじが切られた軸部４１ａ（不図示）を支承部緩衝材４２が貼着されていない面に溶接されており、当該軸部４１ａが、支持上部３１の切り欠き３１ａ（不図示）内で摺動可能に遊挿され、ナット４１ｂと螺合することにより支持上部３１に支承部底板４１を固定させる。
【００３０】
特に、本実施形態に係るシャンプーボウル取付型枕１００は、正面視（図１（ｂ）参照）における、支承部４０の幅が、フック部２０の幅よりも広く、台座１０の幅よりも狭いことにより、被洗髪者４００の頭部を支承する支承部４０の面積を確保しつつ、様々な形状のシャンプーボウル２００に対して幅の狭いフック部２０で取り付けることができると共に、幅の広い台座１０でシャンプーボウル２００の内面との左右方向の接触面積を広くしてシャンプーボウル取付型枕１００の安定性を高めることができるという作用効果を奏する。
【００３１】
つぎに、シャンプーボウル取付型枕１００の使用方法について説明する。
まず、図２（ａ）に示すように、シャンプーボウル２００の内面に台座１０の手前端（台座緩衝材１３）を当接させるように、フック部２０の掛止部２１をシャンプーボウル２００の首受け２０５に引っ掛け、シャンプーボウル取付型枕１００をシャンプーボウル２００内に配置する。
【００３２】
そして、洗髪時には、シャンプーボウル２００用のクッション３００を介してシャンプーボウル２００の首受け２０５に被洗髪者４００の頸部を載置すると共に、支承部４０で被洗髪者４００の頭部の一部を支承する。
また、シャンプーボウル２００の形状及び被洗髪者４００の体躯に合せて、フック部２０（掛止部２１に対する連結部２２）の高さ位置、支持部３０（支持下部３２に対する支持上部３１）の高さ位置、フック部２０（台座１０に対する連結部２２）の前後位置、支持部３０（連結部２２に対する支持下部３２）の前後位置、及び、支承部４０（支持上部３１に対する支承部底板４１）の前後位置を調節することができ、被洗髪者４００は、自身に適した楽な姿勢を取ることができる。
【００３３】
（本発明の第２の実施形態）
図３（ａ）は第２の実施形態に係るシャンプーボウル取付型枕の概略構成を示す正面側斜視図であり、図３（ｂ）は第２の実施形態に係るシャンプーボウル取付型枕の正面図である。図４（ａ）は図３（ｂ）に示すシャンプーボウル取付型枕の左側面図であり、図４（ｂ）は図４（ａ）に示すシャンプーボウル取付型枕の支持部を倒伏した状態を示す左側面図である。図３及び図４において、図１及び図２と同じ符号は、同一又は相当部分を示し、その説明を省略する。
【００３４】
本実施形態に係る台座１０は、略平らな板状体であり、平面視で略半円状の部材であって、フック部２０の連結部２２を台座１０に固定するためのボルト１４ａ（例えば、座金組込み六角ボルト）と螺合する前後方向で同一直線上にある２つの螺子孔１４ｂと、支持部３０の支持下部３２を台座１０に固定するためのボルト１５ａ（例えば、座金組込み六角ボルト）と螺合する左右方向で同一直線上にある２つの螺子孔１５ｂ（不図示）と、を備える。
なお、台座１０の２つの螺子孔１４ｂは、いずれか１つの螺子孔１４ｂにボルト１４ａを螺合させてフック部２０の連結部２２を台座１０に固定するものであり、前後方向で同一直線上にあるため、フック部２０の連結部２２の位置を前後方向に調整可能である。
また、本実施形態に係る台座緩衝材１３は、台座１０の一部（支持下部３２を前後方向の移動を規制する部分）を除く外周に溝で外嵌着されて設けられている。なお、台座緩衝材１３は必ずしも台座１０の外周に渡って設けられていることに限られず、例えば、第１の実施形態と同様に、シャンプーボウル２００に接触する台座１０の手前端（対向面１１ａ）の一部にのみ設けられてもよい。
【００３５】
本実施形態に係るフック部２０の掛止部２１は、フック部２０の連結部２２に固定するためのボルト２４（例えば、座金組込み六角ボルト）を挿通させる貫通孔２１ｄ（不図示）を備える。
また、本実施形態に係るフック部２０の連結部２２は、屈曲部分を境界とする２つの領域のうち、ボルト１４ａを挿通させる貫通孔２２ｄ（不図示）を一方の領域に備え、掛止部２１に固定するためのボルト２４に螺合する上下方向で同一直線上にある２つの螺子孔２２ｅを他方の領域に備える。
なお、連結部２２の２つの螺子孔２２ｅは、いずれか１つの螺子孔２２ｅにボルト２４を螺合させてフック部２０の掛止部２１を連結部２２に固定するものであり、上下方向で同一直線上にあるため、フック部２０の連結部２２の位置を上下方向に調整可能である。
また、本実施形態に係るフック部２０（掛止部２１）は、上端近傍で左右に略水平に突出し、シャンプーボウル２００の首受け２０５に当接される平板状の補助部２１ａを図示していないが、フック部２０（掛止部２１）に補助部２１ａを備える構成であってもよい。
【００３６】
本実施形態に係る支持下部３２は、３つの切り欠き３２ｄが並設される櫛歯状の平板からなり、フック部２０の連結部２２が中央の切り欠き３２ｄ内に位置し、ボルト１５ａが、左右の切り欠き１２ａ内で摺動可能に遊挿され、台座１０の螺子孔１５ｂと螺合することにより台座１０に支持下部３２を固定させる。
また、本実施形態に係る支持上部３１は、支承部４０の軸部４１ａが遊挿される円筒３１ｂが平板３１ｃに溶接された部材であり、蝶番３３により支持下部３２（台座１０の面）に対して倒伏可能に蝶着され、ローレットビス３４と螺合する螺子孔３３（不図示）を円筒３１ｂの側面に備える。
ローレットビス３４は、頭部が回動され、ねじ先で軸部４１ａを押圧又は離隔し、円筒３１ｂ内で軸部４１ａを掛止又は開放して、台座１０に対する支承部４０の高さを調整する。
【００３７】
なお、本実施形態においては、支持部３０が倒伏可能であること並びに支承部４０の高さ及び前後を調整する手段が異なることのみが第１の実施形態と異なるところであり、後述する支持部３０が倒伏可能であることによる作用効果以外は、第１の実施形態と同様の作用効果を奏する。
【００３８】
本実施形態に係るシャンプーボウル取付型枕１００は、図４（ｂ）に示すように、支持部３０が簡易に倒伏可能であることにより、支持部３０をシャンプーボウル２００の奥側に倒して、シャンプーボウル２００の内部下方に支承部４０を位置させ、シャンプーボウル２００の内部上方に空間を与えることができ、被洗髪者４００の髪にロッドを巻いた状態でシャンプー台を利用する場合に、支承部４０が邪魔にならないという作用効果を奏する。
【００３９】
なお、シャンプーボウル取付型枕１００は、支承部４０の高さ及び前後を調整する手段として、第１の実施形態及び第２の実施形態で説明した、台座１０、フック部２０、支持部３０及び支承部４０の組み合わせに限られるものではなく、第１の実施形態及び第２の実施形態に係る台座１０、フック部２０、支持部３０及び支承部４０を相互に適宜組み合わせて、支承部４０の高さ及び前後を調整する手段としてもよい。
【符号の説明】
【００４０】
１０    台座
１１    当接部
１１ａ  対向面
１２    突出部
１３    台座緩衝材
１４ａ，１５ａ  ボルト
１４ｂ，１５ｂ  螺子孔
２０    フック部
２１    掛止部
２１ａ  補助部
２１ｂ  軸部
２１ｃ  ナット
２１ｄ  貫通孔
２２    連結部
２２ａ  軸部
２２ｂ  切り欠き
２２ｃ  ナット
２２ｅ  螺子孔
２３    フック部緩衝材
２４    ボルト
３０    支持部
３１    支持上部
３１ａ  切り欠き
３１ｂ  円筒
３１ｃ  平板
３２    支持下部
３２ａ  軸部
３２ｂ，３２ｄ  切り欠き
３２ｃ  ナット
３３    蝶番
３４    ローレットビス
４０    支承部
４１    支承部底板
４１ｂ  ナット
４２    支承部緩衝材
４３    カバー
１００  シャンプーボウル取付型枕
２００  シャンプーボウル
２０２  排水口
２０３  奥壁
２０４  縁部
３００  クッション
４００  被洗髪者
【図１】
0003185374.tif 000003
【図２】
0003185374.tif 000004
【図３】
0003185374.tif 000005
【図４】
0003185374.tif 000006